(57)【要約】      （修正有）【課題】基準パネルと拡張パネルとを組み合わせる構成をとりながらも、さまざまなサイズのユニットルームを構成可能なユニットルームの天井取付構造を提供する。【解決手段】ユニットルームＲを構成するために立設された壁パネル５の上端縁５ａに、基準パネル１に拡張パネル２を連結させて構成された天井パネルを取付ける構造において、基準パネル１は、その一方端に拡張パネル連結部を形成した連結片１２を設け、かつ拡張パネル２は、基準パネル１の連結片１２に対応させて基準パネル連結部を形成した複数の連結片２３を設けており、基準パネル１の一部と重複させて拡張パネル２を配し、基準パネル１の連結片１２と拡張パネル２の複数の連結片２３のいずれか１つを選択して、連結することで、天井パネルの寸法を拡張可能に連結する構造にしたことを特徴とする。【選択図】図２
2006177004.tif 000002
【特許請求の範囲】
【請求項１】
ユニットルームを構成するために立設された壁パネルの上端縁に、基準パネルに拡張パネルを連結させて構成された天井パネルを取付ける構造において、
上記基準パネルは、その一方端に拡張パネル連結部を形成した連結片を設け、かつ、
上記拡張パネルは、上記基準パネルの連結片に対応させて基準パネル連結部を形成した複数の連結片を設けており、
上記基準パネルの一部と重複させて上記拡張パネルを配し、基準パネルの連結片と拡張パネルの複数の連結片のいずれか１つを選択して、連結することで、天井パネルの寸法を拡張可能に連結する構造にしたユニットルームの天井パネル取付構造。
【請求項２】
ユニットルームを構成するために立設された壁パネルの上端縁に、基準パネルに拡張パネルを連結させて構成された天井パネルを取付ける構造において、
上記基準パネルは、その一方端にネジ挿通孔を形成した、上方に突出する連結片を設け、かつ、
上記拡張パネルは、上記基準パネルの連結片に対応させてネジ挿通孔を形成した上方に突出する複数の連結片を設けており、
上記基準パネルの下方に上記拡張パネルを配し、基準パネルの連結片と拡張パネルの複数の連結片のいずれか１つを選択し、それらを連結板で固定してネジ止め連結することで、天井パネルの寸法を拡張可能に連結する構造にしたユニットルームの天井パネル取付構造。
【請求項３】
ユニットルームを構成するために立設された壁パネルの上端縁に、基準パネルに拡張パネルを連結させて構成された天井パネルを取付ける構造において、
上記基準パネルは、その一方端に凹部を形成し、その凹部の終端にはネジ挿通孔を形成した、上方に突出する連結片を設け、かつ
上記拡張パネルは、上記基準パネルの連結片に対応させてネジ挿通孔を形成した、上方に突出する複数の連結片を設けており、
上記基準パネルの下方に上記拡張パネルを配し、基準パネルの上記連結片と拡張パネルの複数の連結片のいずれか１つを選択し、それらを重ね合わせてネジ止め連結することで、天井パネルの寸法を拡張可能に連結する構造にしたユニットルームの天井パネル取付構造。
【請求項４】
請求項２又は３において、
上記拡張パネルは、上記基準パネルの下方に置かれて上下に重合される側の始端には、該基準パネルとの隙間を塞ぐ傾斜立上面を形成しているユニットルームの天井パネル取付構造。
【発明の詳細な説明】
【技術分野】
【０００１】
本発明は、浴室ユニットやシャワールーム等のユニットルームの天井パネル取付構造の改良に関する。
【背景技術】
【０００２】
従来より、ユニットルームを構成するために立設された壁パネルの上端縁に、天井パネルをネジで連結する構造が知られており、例えば下記特許文献１に記載のものがある。ここに開示され、提案されたユニットルームの天井パネル取付構造は、壁パネルと天井パネルとを浴室用縁部材で連結される構造となっている。
しかしながら、この種のユニットルームに採用される天井パネルは、ユニットルームのサイズに応じ、ユニットルームのサイズの数だけ天井パネルを準備する必要があるので、天井パネルの種類が多くなり、在庫が増えてしまい、天井パネルの製造においては、金型面数が多くなり、コストが高くなるという問題がある。また施工現場で他サイズへ切替ることができないため、天井パネルの一部を切断したり、切断したものを取り付ける等、施工が面倒になるという問題もあった。
【特許文献１】特開２００４−２２５３５２号公報
【発明の開示】
【発明が解決しようとする課題】
【０００３】
そこで上記問題を解消するために、天井パネルを２枚で１組とし、１枚を基準パネル、他方の１枚をサイズの異なる拡張パネルとして組み合わせて使用するものが開発され、提案されている。これは、基準パネルをさまざまなサイズのユニットルームに共用できる一定サイズのものとし、他方の拡張パネルのサイズを換えることで、さまざまなサイズのユニットルームに対応可能とするものである。
図７（ａ）（ｂ）はこのような２枚の天井パネルで構成されるユニットルームの天井パネルの取付例を示した斜視図である。
床パン（不図示）の外周に壁パネル２００を立設した後、壁パネル２００の上端縁２００ａにまずは拡張パネル１０２を設置し、その後、基準パネル１０１を設置し、互いの連結部３００をネジ止めして連結固定される。このとき、取付られる拡張パネル１０２は設置されるユニットルームＲ’のサイズに応じて選択され、そのサイズに合わせたものが取り付けられる。
しかしながら、このような構成の場合、基準パネル１０１は１種類で足りるが、拡張パネル１０２は複数種類のサイズを準備しなければならず、上記問題は解消できなかった。
【０００４】
本発明は上記課題を解決するためになされたものであり、基準パネルと拡張パネルとを組み合わせる構成をとりながらも、さまざまなサイズのユニットルームに適用できるユニットルームの天井取付構造を提供するものである。
【課題を解決するための手段】
【０００５】
したがって、本発明は、上記課題を解決するために提案され、請求項１に記載された第１の本発明は、ユニットルームのサイズに合わせて、多段階に天井パネルのサイズの拡張を可能とするため、拡張パネルにはユニットルームのサイズに応じた複数の連結片を設ける構成とし、基準パネルとは連結板を用いて連結固定し天井パネルを構成している。
また請求項２に記載された発明は、天井パネルをネジ止めして連結する構造に関し、基準パネル及び拡張パネルの各々の連結片は上方に突出して形成されるとともに、ネジ止めするための挿通孔が形成されており、基準パネルの下方に拡張パネルを配することを特徴とするものである。
【０００６】
また同時に提案される請求項３に記載された第２の本発明は、請求項１及び請求項２と同様に拡張パネル側にはユニットルームのサイズに応じた複数の連結片を設ける構成とする一方、連結板を介すことなく、拡張パネルと基準パネルとを連結固定させるため、基準パネルの一方端に凹部を形成させている点で請求項１及び請求項２とは異なる構成としている。
【０００７】
請求項４に記載された発明では、請求項２又は３において、拡張パネルは、基準パネルの下方に置かれて上下に重合される側の始端には、該基準パネルとの隙間を塞ぐ傾斜立上面を形成していることを特徴とする。
【発明の効果】
【０００８】
請求項１及び請求項２に記載のユニットルームの天井パネル取付構造によれば、基準パネルは、その一方端に拡張パネル連結部を形成した連結片を設け、かつ拡張パネルは、基準パネルの連結片に対応させて基準パネル連結部を形成した複数の連結片を設けており、基準パネルの一部と重複させて拡張パネルを配し、基準パネルの連結片と拡張パネルの複数の連結片のいずれか１つを選択して、連結することで、天井パネルの寸法を拡張可能に連結する構造としているので、天井パネルの寸法を多段階に拡張可能とし、一枚の基準パネルと一枚の拡張パネルとで、複数サイズのユニットルームの天井に対応できる。
よって、天井パネルの金型の製造コストを抑えることができ、部品点数が軽減され、在庫の増加を防ぎ、在庫管理が容易となる。また施工現場で他サイズへの切替ができる。
さらに、連結板を介して基準パネルと拡張パネルとを連結固定するので、強固に連結させることができる。
特に請求項２に記載のユニットルームの天井パネル取付構造によれば、連結片が上方に突出して形成されているので、天井面側に連結片が突出しないので、見栄えよく、またネジ止めして連結固定されるので、強固且つ容易に天井パネルの施工ができる。
【０００９】
請求項３に記載のユニットルームの天井パネル取付構造によれば、基準パネルは、その一方端に凹部を形成し、その凹部の終端にはネジ挿通孔を形成し上方に突出する連結片を設けており、拡張パネルは、基準パネルの連結片に対応させてネジ挿通孔を形成し上方に突出する複数の連結片を設けており、基準パネルの下方に拡張パネルを置き、基準パネルの上記連結片と拡張パネルの複数の連結片のいずれか１つを選択し、それらを重ね合わせてネジ止め連結する構成としているので、天井パネルの寸法を多段階に拡張可能とし、一枚の基準パネルと一枚の拡張パネルとで、複数サイズのユニットルームの天井パネルを構成できる。
よって、天井パネルの金型の製造コストを抑えることができ、在庫の増加を防ぎ、在庫管理が容易となる。また施工現場で他サイズへの切替ができる。
特に、第１の本発明のように、連結板を使用しないため、部品点数を減らすことができ、施工が容易である。
【００１０】
請求項４に記載のユニットルームの天井パネル取付構造によれば、拡張パネルは、基準パネルの下方に置かれて上下に重合される側の始端には、該基準パネルとの隙間を塞ぐ傾斜立上面が形成されているので、基準パネルとの隙間を塞ぎ、天井面装飾のアクセントとなる。この傾斜立上面には、照明器具、暖房排気口、ガラリ等を埋設することができる。
【発明を実施するための最良の形態】
【００１１】
以下、図とともに本発明の実施の形態について説明する。
【実施例１】
【００１２】
図１は第１の本発明の構成部材を示しており、図２（ａ）（ｂ）は各構成部材を組み付けて天井パネルを構成した図であり、（ａ）はユニットルームのサイズが小さい場合、（ｂ）はユニットルームのサイズが大きい場合を示し、図３は図２のＸ部の拡大断面図を示している。
図において、Ｒは浴室やシャワールーム等のユニットルーム、１は基準パネル、１０、２０は天井面、１１、２２は壁パネル５の上端方向に延出する傾斜延出面、１１ａ、２２ａは傾斜延出面１１、２２の下端に設けられる鍔縁、１２は連結板３を介して拡張パネル連結部を形成した連結片、１２ａ、２３ａはネジ挿通孔、１３は点検口、１４、２４は切断面、３は基準パネル１と拡張パネル２とを連結する連結板、３ａは連結板３に形成されるネジ挿通孔、４はネジ、２３は連結板３を介して基準パネル連結部を形成した連結片、２１は基準パネル１との連結により形成される隙間を塞ぐ傾斜立上面、５は床パン（不図示）の外周に立設される壁パネル、５ａは天井パネルと連結される上端縁である。
【００１３】
ここで上記連結片１２、２３の各々には、連結板３のネジ挿通孔３ａに対応して、ネジ４で螺装して連結固定するためのネジ挿通孔１２ａ、２３ａが形成された例を示しているがこれに限られず、タッピングネジでネジ止めするものや溶着させるものとしてもよい。また連結片１２、２３は上方に突出したものを示しているが、これに限定されず、連結片１２は下方に突出したものであってもよい。
【００１４】
本発明は、基準パネル１、拡張パネル２、連結板３、及びネジ４で構成されており、図１を参照して説明すると、基準パネル１は、点検口１３を設けた天井面１０を有し、天井面１０から壁パネル５の上端に延出する面に傾斜延出面１１が形成されるとともに、一方端を切断面１４にしている。
そして、天井面１０の切断面１４の端部には、上方に突出する連結片１２が設けられている。
一方の拡張パネル２も天井面２０を有し、天井面２０から壁パネル５の上端に延出する面に傾斜延出面２２が形成されるとともに、一方端を切断面２４としている。
【００１５】
また天井面２０の切断面２４の端部には、上方に立上げ形成される傾斜立上片２１が突出形成され、天井面２０の外面には、複数の連結片２３・・・がユニットルームＲの天井パネルのサイズに応じて所定の間隔で形成されている。
基準パネル１、拡張パネル２のそれぞれの傾斜延出面１１、２２の下端には、水平方向に突出する鍔縁１１ａ、２２ａが設けられ、図２に示すように、基準パネル１、拡張パネル２を壁パネル５の上端縁５ａに戴置したときに、壁パネル５と固着連結される構造となっている。
３は連結板であり、Ｌ字状の断面を有し、基準パネル１に拡張パネル２とを連結させるときにネジ４とともに使用され、基準パネル１の連結片１２と拡張パネル２の複数の連結片２３の内、いずれか１つの連結片２３を選択し、連結板３で連結片１２、２３をネジ止めして連結固定される。
【００１６】
天井パネルの取付手順を説明すると、まず立設された壁パネル５の上端縁５ａに拡張パネル２の下端の鍔縁２２ａを戴置し、連結固定する。次いで拡張パネル２が下方になるようにして、壁パネル５の上端縁５ａに基準パネル１を戴置し、拡張パネル２と同様にして、基準パネル１の下端の鍔縁１１ａを壁パネル５の上端縁５ａに戴置し連結固定すると基準パネル１と拡張パネル２とが重合されるので、この状態で、基準パネル１の連結片１２と拡張パネル２の連結片２３との間に連結板３を介在させてネジ４で連結固定する。このとき、ネジ４を予め基準パネル１と連結する連結片２３のネジ挿入孔２３ａに挿入しておき、連結板３をセットしておけば、スムーズに基準パネル１と連結することができる。
なお、ここでは基準パネル１の下方に拡張パネル２を配した例を示しているが、これに限られず上下が逆の構造であってもよい。
図１は取付前の状態、図２（ａ）及び（ｂ）は取付施工後の状態を示している。
【００１７】
図２（ａ）は天井寸法が小さい場合の施工例、図２（ｂ）は天井寸法が大きい場合の施工例を示しており、天井寸法が小さい場合は、図２（ａ）に示すように拡張パネル２の傾斜延出面２２（壁パネル５側）に最も近い連結片２３を選択すれば、小さいサイズの天井パネルが形成でき、天井寸法が大きい場合は、図２（ｂ）に示すように、拡張パネル２の傾斜延出面２２から最も離れた連結片２３を選択すれば、大きいサイズの天井パネルを形成することができる。またその中間のサイズの天井寸法の場合は、その中間位置に形成される連結片２３を選択すればよいことは言うまでもない。
すなわち、この構造によれば、一枚の基準パネル１と一枚の拡張パネル２とで、さまざまなサイズのユニットルームＲの天井パネルを構成できる。
【００１８】
また拡張パネル２には、基準パネル１の下方に置かれて上下に重合される側の始端に、該基準パネル１との隙間を塞ぐ傾斜立上面２１が形成されているので、基準パネル１との隙間を塞いで水分等の浸入を防ぎ、天井面２０の装飾のアクセントとなる。この傾斜立上面２１には、照明器具、暖房排気口、ガラリ等を設けることができる。
なお、ここで傾斜立上面２１は傾斜したものを示しているが、傾斜した立上面に限られず、基準パネル１と拡張パネル２が重合されることにより生じる隙間を塞ぐ形状であればよい。
【００１９】
以上の図例では、天井パネルが基準パネル１と拡張パネル２との２枚からなる例を示しているが、これに限られず、基準パネル１や拡張パネル２がさらに分割され複数枚で構成されるものであっても適用可能である。また天井パネルの形状は、アーチ状のものを示しているが、これに限られず、フラット状のものでも適用可能である。
さらに図例では拡張パネル２側にはユニットルームＲのサイズに応じて３つの連結片２３が形成される例を示しているが、これに限られず、連結片２３の数だけ多段階的にユニットルームＲの天井パネルのサイズの拡張が可能である。また連結板３の形状は、図例に示すように、断面Ｌ字型に限定されるものではなく、基準パネル１と拡張パネル２とを強固に連結できる形状のものであればよい。
【実施例２】
【００２０】
本発明の別の実施形態を以下に説明する。
図４は第２の本発明の構成部材を示しており、図５（ａ）（ｂ）は各構成部材を組み付けて天井パネルを構成した図であり、（ａ）はユニットルームのサイズが小さい場合、（ｂ）はユニットルームのサイズが大きい場合を示し、図６は図５のＹ部の拡大断面図を示している。
なお、実施例１と共通部分には同一の符号を付し、その重複する説明は割愛する。
【００２１】
拡張パネル２の構成は、実施例１と同様であるが、基準パネル１は、その一方端に凹部１６が形成され、その凹部１６の終端にはネジ挿通孔１５ａを形成し、上方に突出する連結片１５を設けた点で実施例１と相違し、この構成により本実施例においては、連結板３を介することなく、基準パネル１と拡張パネル２とを連結固定することができる。
なお、連結片１５、２３の各々には、ネジ４で螺装して連結固定するためのネジ挿通孔１５ａ、２３ａが形成された例を示しているがこれに限られず、タッピングネジでネジ止めするものや溶着させるものとしてもよい。また連結片１５、２３は上方に突出したものを示しているが、これに限定されず、連結片１５は下方に突出したものであってもよい。
【００２２】
天井パネルの取付手順を説明すると、まず立設された壁パネル５の上端縁５ａに拡張パネル２の下端の鍔縁２２ａを戴置し、連結固定する。次いで拡張パネル２が下方になるようにして、壁パネル５の上端縁５ａに基準パネル１を戴置し、拡張パネル２と同様にして、基準パネル１の下端の鍔縁１１ａを壁パネル５の上端縁５ａに戴置し連結固定すると、基準パネル１と拡張パネル２とが重合されるとともに、基準パネル１に形成される凹部１６が天井寸法に応じて、連結される連結片２３と重合される。この状態で、基準パネル１の連結片１５と拡張パネル２の連結片２３とを連結板３を介在させることなく、ネジ４で連結固定する。
なお、ここでは基準パネル１の下方に拡張パネル２を配した例を示しているが、これに限られず上下が逆の構造であってもよい。
図４は取付前の状態、図５（ａ）及び（ｂ）は取付施工後の状態を示している。
【００２３】
図５（ａ）は天井寸法が小さい場合の施工例、図５（ｂ）は天井寸法が大きい場合の施工例を示しており、天井寸法が小さい場合は、図５（ａ）に示すように拡張パネル２の傾斜延出面２２（壁パネル５側）に最も近い連結片２３を選択すれば、小さいサイズの天井パネルが形成でき、天井寸法が大きい場合は、図５（ｂ）に示すように、拡張パネル２の傾斜延出面２２から最も離れた連結片２３を選択すれば、大きいサイズの天井パネルを形成することができる。またその中間のサイズの天井寸法の場合は、その中間位置に形成される連結片２３を選択すればよいことは言うまでもない。
すなわち、この構成によれば、一枚の基準パネル１と一枚の拡張パネル２とで、複数サイズのユニットルームＲの天井パネルを構成できる。
【００２４】
また拡張パネル２には、基準パネル１の下方に置かれて上下に重合される側の始端に、該基準パネル１との隙間を塞ぐ傾斜立上面２１が形成されているので、基準パネル１との隙間を塞いで水分等の浸入を防ぎ、天井面２０の装飾のアクセントとなる。この傾斜立上面２１には、照明器具、暖房排気口、ガラリ等を設けることができる。
なお、ここで傾斜立上面２１は傾斜したものを示しているが、傾斜した立上面に限られず、基準パネル１と拡張パネル２が重合されることにより生じる隙間を塞ぐ形状であればよい。
【００２５】
以上の図例では、天井パネルが基準パネル１と拡張パネル２との２枚からなる例を示しているが、これに限られず、基準パネル１や拡張パネル２がさらに分割され複数枚で構成されるものであっても適用可能である。また天井パネルの形状は、アーチ状のものを示しているが、これに限られず、フラット状のものでも適用可能である。
さらに図例では拡張パネル２側にはユニットルームＲのサイズに応じて３つの連結片２３が形成される例を示しているが、これに限られず、連結片２３の数だけ多段階的にユニットルームＲの天井パネルのサイズの拡張が可能である。
【図面の簡単な説明】
【００２６】
【図１】本発明の天井パネル取付構造を説明するための各構成部材の取付前の断面模式図である。
【図２】（ａ）（ｂ）は本発明の各構成部材を組み付けて天井パネルを構成した断面模式図である。（ａ）はユニットルームのサイズが小さい場合、（ｂ）ユニットルームのサイズが大きい場合を示している。
【図３】図２のＸ部の拡大断面図である。
【図４】本発明の別の実施例の天井パネル取付構造を説明するための各構成部材の取付前の断面模式図である。
【図５】（ａ）（ｂ）は本発明の各構成部材を組み付けて天井パネルを構成した断面模式図である。（ａ）はユニットルームのサイズが小さい場合、（ｂ）ユニットルームのサイズが大きい場合を示している。
【図６】図５のＹ部の拡大断面図である。
【図７】（ａ）（ｂ）は従来のユニットルームの天井パネルの取付例を示した斜視図である。
【符号の説明】
【００２７】
Ｒ    ユニットルーム
１    基準パネル
２    拡張パネル
３    連結板
１２（１５）  基準パネルの連結片
２３  拡張パネルの連結片
２１  傾斜立上面
４    ネジ
１６  凹部
【図１】
2006177004.tif 000003
【図２】
2006177004.tif 000004
【図３】
2006177004.tif 000005
【図４】
2006177004.tif 000006
【図５】
2006177004.tif 000007
【図６】
2006177004.tif 000008
【図７】
2006177004.tif 000009